(57)【要約】【課題】筒状部材の表面にメタリック調の転写層を転写印刷で形成する場合に、転写層の重ね合わせ部分に干渉によるモアレ縞を発生させず、転写層の合わせ目が外観上わからないようにする。【解決手段】転写フィルム20により塗布具用筒状部材10の表面に装飾層15として転写される転写層30としてスクリーン印刷により色彩版層33,34とその下地層としての銀版層35とを設け、銀版層35及び色彩版層33,34はいずれも終端部分39と始部分38とがそれぞれ重複する領域において、終端部分39では終端方向に向かって周方向に徐々に濃度を減じるグラデーションとして形成され、始端部分38では始端方向に向かって徐々に濃度を減じるグラデーションとして形成されるとともに、銀版層35はＦＭスクリーン印刷により形成される。【選択図】図３
2014046512.tif 000002
【特許請求の範囲】
【請求項１】
剥離層と、該剥離層の下層に形成された転写層と、該転写層の下層に形成された接着層とを備える転写フィルムを用いて、該接着層を筒状の外側面に付着させつつ、該剥離層を剥離させながら該転写層の終端部分を始端部分の上に重複させることで、該外側面に装飾層が形成される塗布具用筒状部材であって、
前記転写層は少なくとも２層のグラビア印刷により構成されるとともにその下層側であって下地層として形成された銀版層と、その上層側である色彩版層とを備え、
前記銀版層及び前記色彩版層はいずれも、前記終端部分と前記始端部分とがそれぞれ重複する領域(以下、「重複領域」とする。）において、前記終端部分の重複領域では該終端方向に向かって周方向に徐々に濃度を減じるグラデーションとして形成され、かつ、前記始端部分の重複領域では該始端方向に向かって徐々に濃度を減じるグラデーションとして形成されるとともに、
前記銀版層はＦＭスクリーン印刷により形成されていることを特徴とする塗布具用筒状部材。
【請求項２】
前記銀版層及び前記色彩版層はさらに、軸方向の一端から他端に向かって徐々に濃度を減じるグラデーションとして形成されるとともに、
前記周方向のグラデーションは、前記軸方向のグラデーションに比べ急勾配であることを特徴とする請求項１記載の塗布具用筒状部材。
【請求項３】
前記転写層において前記終端部分の重複領域を除く前記銀版層の下層にはさらに均一な黒色版層が設けられていることを特徴とする請求項２記載の塗布具用筒状部材。
【発明の詳細な説明】
【技術分野】
【０００１】
本発明は、筆記具を含む塗布具の軸筒あるいはキャップ等の筒状部材であって、その表面に転写フィルムにより装飾を施されているものに関する。
【背景技術】
【０００２】
従来、筆記具を含む塗布具の軸筒あるいはキャップ等の、少なくとも一部に筒状の形状部分を有する部材の表面には、塗装、印刷、刻印、ステッカーの貼付等、様々な方法で装飾が行われてきた。
上記の印刷として、転写フィルムを用いた転写印刷による軸筒の装飾も広く行われている。転写印刷とは、素材そのものに直接印刷するのではなく、ベースとなる紙やフィルムに一旦転写層をスクリーン印刷などにより印刷し、これを素材に転写するという方法である。たとえば、下記特許文献１記載の発明では、筆記具の軸筒の表面に、転写印刷により色彩のグラデーションが施されている。
【０００３】
また、いわゆる色彩メタリック調の外観とするために、色彩版層の下に、被覆層としての銀版層を設けることも通常行われている。
【先行技術文献】
【特許文献】
【０００４】
【特許文献１】特許第４５４４６７０号公報
【発明の概要】
【発明が解決しようとする課題】
【０００５】
転写印刷では、転写フィルムの一端を円筒状の軸筒の表面に付着させ、そこからベースフィルムを剥離しつつ外周に沿って巻き回し、最初に付着した転写層の一端に転写層のもう一端を重ね合わせている。従来、この重ね合わせた部分が、軸方向に沿って帯状に濃くなって目立つのが難点であった。
一方、これを解消するために、転写層の重ね合わせ部分の上下層各々にそれぞれ周方向に薄くなっていくグラデーションを設け、重ね合わせ部分のグラデーションが互いに逆勾配になっているため重ね合わせ部分の濃度が結果として均一になるようにして、より目立たなくする工夫もなされている。これにより、上記のような帯状の合わせ目は一応解消する。
【０００６】
しかし、スクリーン印刷として最も頻用されるＡＭスクリーン印刷により転写層を形成すると、その重ね合わせた領域に、印刷のドットパターンが重なることによる干渉でモアレ縞が発生し、美観を損ねるものであった。これは、色彩版層の下層に銀版層を設ける場合でも同様であった。ここで、「ＡＭ」とは、「ａｍｐｌｉｔｕｄｅ  ｍｏｄｕｌａｔｉｏｎ（振幅変調）」の略であり、「ＡＭスクリーン印刷」とは、印刷の階調を等間隔で配置されたドットの大きさで表現するものである。
この問題に鑑み、本発明は、筒状部材の表面にメタリック調の転写層を転写印刷で形成する場合に、転写層の重ね合わせ部分に干渉によるモアレ縞を発生させず、転写層の合わせ目が外観上わからないようにすることを課題とする。
【課題を解決するための手段】
【０００７】
上記課題を解決すべく、本発明は、剥離層22と、該剥離層22の下層に形成された転写層30と、該転写層30の下層に形成された接着層25とを備える転写フィルム20を用いて、該接着層25を筒状の外側面に付着させつつ、該剥離層22を剥離させながら該転写層25の終端部分39を始端部分38の上に重複させることで、該外側面に装飾層15が形成される塗布具用筒状部材10であって、
前記転写層30は少なくとも２層のグラビア印刷により構成されるとともにその下層側であって下地層として形成された銀版層35と、その上層側である色彩版層33,34とを備え、
前記銀版層35及び前記色彩版層33,34はいずれも、前記終端部分39と前記始端部分38とがそれぞれ重複する領域(以下、「重複領域40」とする。）において、前記重複領域40の終端部分39では該終端方向に向かって周方向に徐々に濃度を減じるグラデーションとして形成され、かつ、前記重複領域40の始端部分38では該始端方向に向かって徐々に濃度を減じるグラデーションとして形成されるとともに、
前記銀版層35はＦＭスクリーン印刷により形成されていることを特徴とする。
【０００８】
本発明における「塗布具」とは、筆記具のみならず、化粧料、薬剤、修正液、接着剤等の、液状ないし半固体状の塗布物を塗布するための塗布具であって、軸筒の中にこれらの塗布具が収容されているものをいう。また、本発明における「塗布具用筒状部材10」とは、塗布具の最外部を構成する軸筒あるいはキャップ等の、略円筒形状の部材をいう。なお、この「塗布具用筒状部材10」においては、少なくとも一部に「筒状」の形状部分を有していればよく、その全体が「筒状」を呈している必要はない。そしてこの「筒状」の部分に転写フィルム20により装飾層15が形成される。
すなわち、本発明では、カラーグラデーション層としての色彩版層33,34の下層に位置する、メタリックの下地としてのシルバーグラデーション層（銀版層35）を、ＦＭスクリーン印刷で形成することとした。ここで、「ＦＭ」とは「ｆｒｅｑｕｅｎｃｙ  ｍｏｄｕｌａｔｉｏｎ（周波数変調）」の略であり、「ＦＭスクリーン印刷」とは、印刷の階調を等しい大きさのドットの数で表現するものである。
【０００９】
グラビア印刷で最も頻用されるＡＭスクリーン印刷では、ドットの分布が単位面積当たり一定で規則的であるためにこれを重ねたことによる干渉によるモアレ縞が発生していたが、ＦＭスクリーン印刷のドットは色の濃いところにはドットが多く薄いところでは少なく、規則的でない。よって、このＦＭスクリーン印刷で形成された銀版層35の上にＡＭスクリーン印刷で形成された色彩版層33,34を重ねてもモアレ縞が発生しないこととなっている。もちろん、色彩版層33,34もＦＭスクリーン印刷で形成してもよい。
なお、前記銀版層35及び前記色彩版層33,34はさらに、軸方向の一端から他端に向かって徐々に濃度を減じるグラデーションとして形成されるとともに、前記周方向のグラデーションは、前記軸方向のグラデーションに比べ急勾配であることが望ましい。これにより、重複領域40のグラデーションが軸方向のグラデーションに影響を与えにくいこととなっている。
【００１０】
また、前記転写層30において前記終端部分39の重複領域40を除く前記銀版層35の下層にはさらに均一な黒色版層36が設けられていることが望ましい。これにより、銀版層35の存在により黒から色彩へのグラデーションが明瞭に表現できることとなっている。
【発明の効果】
【００１１】
本発明によれば、メタリック調の転写層を転写印刷で形成する場合に、色彩版層をＡＭスクリーン印刷で形成したとしても重ね合わせ部分に干渉によるモアレ縞を発生させず、転写層の合わせ目が外観上わからないようにすることが可能となっている。
【図面の簡単な説明】
【００１２】
【図１】本発明の１の実施の形態に係る塗布具用筒状部材としての筆記具の軸筒を斜視図で示す。
【図２】図１の軸筒を側面断面図（Ａ）及び平面断面図（Ｂ）で示す。
【図３】本発明の１の実施の形態で使用される転写フィルムを模式的に断面図で示す。
【図４】図３の転写フィルムを模式的に平面図で示す。
【発明を実施するための形態】
【００１３】
以下、図面を参照しつつ本発明の１の実施の形態を説明する。
本発明の１の実施の形態に係る塗布具用筒状部材10は、図１に示すような、一端（閉塞端11）が閉塞し他端（開放端12）が開放した筒状形状の、筆記具の軸筒10として形成される。この軸筒10は、透明なポリカーボネート樹脂の射出成形により形成される。
この軸筒10の表面には、後述の転写フィルム20を用いた転写印刷によって装飾層15が形成されている（図１、図２（Ａ）参照）。装飾層15は、後述の転写層30が、図２（Ｂ）に示すように軸筒10の周囲におよそ１周半分巻き回されて形成されている。この転写層30が重複している部分を重複領域40と称する。
【００１４】
本実施形態で使用される転写フィルム20は、図３に模式的に示すような層状構造を呈している。この転写フィルム20は、ポリエチレンテレフタレート製のシート材を基材21としている。この基材21の片面に、メラミン樹脂製の剥離層22が形成されている。この剥離層22は、下記の転写層30を軸筒10の表面に付着させた後に、転写層30を基材21から剥離するのを容易にするために設けられている。
基材21の剥離層22の側に、図３中で上層側に記載されている順にスクリーン印刷で下記の各層が重層されていくことで、転写層30が形成される。なお、図３中の各層は、その上層側から順に重層されている旨を模式的に示すものであって、各層の目的及びデザイン上の要請により、印刷面のうち特定の箇所にのみ形成されていたり、また、特定の箇所で欠落していたりすることがあり、必ずしも全面に形成されているものとは限らない。
【００１５】
第１黒色版層31は、デザイン上の文字、マークその他のワンポイントとして、印刷面の一部に黒色インクにて形成される。
第１銀版層32は、上記第１黒色版層31の背景として、また、デザイン上のアウトラインとして印刷面の一部に銀色インクにて形成される。
なお、上記の第１黒色版層31及び第１銀版層32は、デザイン上の要請で任意的に設けられるものである。
第１色彩版層33は、軸筒10の装飾層15の主要部分をなす色彩版を構成する層であって、比較的薄い色の層である。
【００１６】
第２色彩版層34は、軸筒10の装飾層15の主要部分をなす色彩版を構成する層であって、上記第１色彩版層33と同系でより濃い色の層である。
上記第１色彩版層33及び第２色彩版層34はいずれも、ＡＭスクリーン印刷により、軸筒10の長手方向に沿って、前記閉塞端11から開放端12（図１参照）にかけてグラデーションをなすようにして形成される。また、前記重複領域40をなす部分においても周方向にグラデーションをなしているが、これについては後述する。
なお、上記第１色彩版層33及び第２色彩版層34は色彩版の表現上の要請で濃度の異なる同系色を重ね合わせているものであって、製品のデザイン上の要請によっては、単一の層で構成されていてもよいし、また、３層以上を重ね合わせてもよいし、さらには、異なる系統の色彩の複数層を重ね合わせてもよい。
【００１７】
第２銀版層35は、上記第１色彩版層33及び第２色彩版層34が形成されている部分において、これら色彩版層の下地層として銀色インクのＦＭスクリーン印刷にて形成される。この第２銀版層35は、上記第１色彩版層33及び第２色彩版層34のグラデーションと同様のグラデーションをなすように形成されている。また、この第２銀版層35がこれら色彩版層の下層をなすことで、カラーメタリック調を表現可能となっている。
第２黒色版層36は、上記第１色彩版層33及び第２色彩版層34並びに上記第２銀版層35の下地層として黒色インクの均一印刷にて形成されている。この第２黒色版層36の上層に上記第１色彩版層33及び第２色彩版層34並びに上記第２銀版層35が設けられていることで、上記第１色彩版層33及び第２色彩版層34のなすグラデーションが黒色を背景にすることとなる。これにより、第１色彩版層33及び第２色彩版層34の色彩が徐々に明度を低下させて黒色に至るグラデーションとして表現することが可能となっている。また、第２黒色版層36とその上の第１色彩版層33及び第２色彩版層34との間に第２銀版層35が介在することで、第２銀版層35が第２黒色版層36をマスクして、第１色彩版層33及び第２色彩版層34の色彩が黒色を背景としても明瞭に視認可能となっている。
【００１８】
なお、印刷面の一部には、上記の第１色彩版層33及び第２色彩版層34並びに第２銀版層35及び第２黒色版層36が設けられない部分があり、この部分から軸筒10の内部が視認できることとなっている。
白色版層37は、上述した、印刷面中で上記の第１色彩版層33及び第２色彩版層34並びに第２銀版層35及び第２黒色版層36が設けられない部分中の一部に設けられ、デザイン上の文字、マークその他のワンポイントとして形成されている。なお、この白色版層37は、デザイン上の要請で任意的に設けられるものである。
上述した、第１黒色版層31、第１銀版層32、第１色彩版層33、第２色彩版層34、第２銀版層35、第２黒色版層36及び白色版層37から成る転写層30の下層側には、アクリル樹脂で形成される接着層25が設けられる。
【００１９】
上述の各層からなる転写フィルム20は、平面視では図４に示すような四角形のフィルムとして形成される。この図中では、上端側が軸筒10の閉塞端11側に、及び、下端側が開放端12側にそれぞれ位置している。
基材21の４辺には転写層30が設けられておらず、これが転写層30の周囲のマージンとなっている。前記第１色彩版層33、第２色彩版層34及び第２銀版層35はいずれも、閉塞端11側から開放端12側にかけて濃度が薄くなっていくグラデーションとなっている。また、この転写フィルム20における転写層30は、図４中の右側部分が始端部分38となってここから軸筒10へ接着されていき、その周囲を接着層25で付着させつつ、図４中の左側部分の終端部分39を始端部分38の上に重複領域40として重ね合わせて装飾層15が形成される（図２Ｂ参照）。
【００２０】
ここで、図４中の始端部分38及び終端部分39においては、各々辺縁に向かって色彩が薄くなっていく周方向のグラデーションとなっている。この周方向のグラデーションは、軸方向（閉塞端11側から開放端12側への方向）のグラデーションよりも急勾配となっている。すなわち、軸方向よりもより狭い範囲で同様の階層のグラデーションが周方向で実現されている。
そして、この重複領域40においては、第２銀版層35がＦＭスクリーン印刷で形成されているので、これがＡＭスクリーン印刷による第１色彩版層33及び第２色彩版層34と重複しても、ドットの配列パターンの重複による干渉によるモアレ縞が発生しないことになっている。
【００２１】
また、図４中において、転写層30のうち終端部分39以外の部分41にのみ、前記第２黒色版層36が設けられている。換言すると、終端部分39には前記第２黒色版層36は設けられていない。すなわち、重複領域40において始端部分38と終端部分39との間には黒色版層36が位置しないこととなる。これにより、重複領域40では始端部分38及び終端部分39の双方の逆方向のグラデーションが補完し合うこととなっている。また、この第２黒色層36が設けられている領域41では、第１色彩版層33及び第２色彩版層34による色彩が最も強い閉塞端11側から、開放端12側の黒色へと明度を低下させていくグラデーションが表現されることとなっている。
【産業上の利用可能性】
【００２２】
本発明は、筆記具の軸筒あるいはキャップのような筒状の部材に利用可能である。また、筆記具以外でも、化粧料や塗料、修正液等の、液体ないし半固体の物質の塗布を目的とする塗布具において、そのような物質を収容する筒状の部材に利用可能である。
【符号の説明】
【００２３】
10  塗布具用筒状部材（軸筒）
11  閉塞端                12  開放端                15  装飾層
20  転写フィルム          21  基材                  22  剥離層
25  接着層
30  転写層                31  第１黒色版層          32  第１銀版層
33  第１色彩版層          34  第２色彩版層          35  第２銀版層
36  第２黒色版層          37  白色版層              38  始端部分
39  終端部分              40  重複領域
41  第２黒色層が設けられている領域
【図１】
2014046512.tif 000003
【図２】
2014046512.tif 000004
【図３】
2014046512.tif 000005
【図４】
2014046512.tif 000006